(57)【要約】【課題】掃除がしやすい、特に五徳リングの掃除を容易に行える五徳を提供することを目的とする。【解決手段】本実施例の五徳１によれば、五徳爪部２を五徳リング３に載置する構造としているため、掃除する際には、五徳爪部２と五徳リング３とを分割することによって、五徳リング３から込み入った部位がなくなり掃除しやすくなる。つまり、五徳爪部２を取り外すことによって、最も汚れやすい五徳リング３から邪魔な部材をなくすことができ格段に掃除しやすくなり、五徳１全体をいつまでもきれいに使うことが可能となる。しかも、爪連結リング４によって複数の五徳爪５を連結して一部材の五徳爪部２としているため、掃除に邪魔な五徳爪５を五徳リング３から取り外した際にも五徳爪５はバラバラにならず取り扱いが容易である。【選択図】図１
2005037082.tif 000002
【特許請求の範囲】
【請求項１】
調理容器を環状のこんろバーナの上方で支持する複数の五徳爪と、
上記こんろバーナの周囲を囲むように設けられ、上記五徳爪を支持する五徳リングと
を備えた五徳において、
上記五徳爪と上記五徳リングとを分割可能とするとともに、該複数の五徳爪を下方でリング部材により連結することによって五徳爪部として一体的に形成し、該五徳爪部を該五徳リングに載置することを特徴とする五徳。
【請求項２】
上記リング部材の外径は上記五徳リングの外径よりも小さく、上記五徳爪部は上記五徳リングの内側に載置されることを特徴とする請求項１記載の五徳。
【発明の詳細な説明】
【技術分野】
【０００１】
本発明は、こんろバーナの上方で鍋等の調理容器を載置する五徳に関する。
【背景技術】
【０００２】
従来から、ガスこんろ１２１は、図７，図８に示すようにトッププレート１２２に設けられる開口１２３の中央位置にこんろバーナ１２４が配置され、その周囲に汁受皿１２５が載置される。調理容器１２６は、こんろバーナ１２４の上方周囲に設けられた五徳１０１に載置され、こんろバーナ１２４の燃焼により加熱される。
一般に五徳１０１は、調理容器１２６を載置する複数のＬ字状の五徳爪１０５と、五徳爪１０５を立設接合する基盤となる環状の五徳リング１０３とにより一体的に構成される。五徳リング１０３には、図９に示すように、五徳爪１０５を挿入するための角孔１１１が設けられており、五徳爪１０５を角孔１１１に垂直に挿入し、裏側から五徳爪１０５先端を潰して五徳リング１０３に固定する。
【０００３】
しかしながら、このような構成の五徳１０１では、調理中の吹きこぼれなどによる煮汁が付着した場合、ガスこんろ１２１から五徳１０１を取り外して洗うことができるものの、五徳リング１０３表面に付着した汚れを除去しようとしても五徳爪１０５がじゃまになり、特に五徳爪１０５の根元の汚れを完全には除去できないという問題があった。
そこで、特許文献１では、図１０に示すように、五徳リング２０３の角孔２１１をその周縁部分が上方に向かって曲面形状に突出するように形成することによって、五徳爪２０５の根元まで布等が届きやすくして掃除をしやすくしようとした五徳２０１が提案されている。
【特許文献１】特開平１０−１６０１７０号公報
【発明の開示】
【発明が解決しようとする課題】
【０００４】
しかしながら、上述したような五徳２０１であっても、五徳爪２０５と五徳リング２０３とが一体的に構成されていることには変わりなく、依然として掃除がしにくかった。特に、五徳リング１０３，２０３の外側は、こんろバーナ１２４の外炎にさらされて高温になることから、付着した煮汁がこびりついてしまうため、掃除性については重要な課題となっていた。
本発明は上記課題を解決し、掃除がしやすい、特に五徳リングの掃除を容易に行える五徳を提供することを目的とする。
【課題を解決するための手段】
【０００５】
上記課題を解決する本発明の請求項１記載の五徳は、
調理容器を環状のこんろバーナの上方で支持する複数の五徳爪と、
上記こんろバーナの周囲を囲むように設けられ、上記五徳爪を支持する五徳リングと
を備えた五徳において、
上記五徳爪と上記五徳リングとを分割可能とするとともに、該複数の五徳爪を下方でリング部材により連結することによって五徳爪部として一体的に形成し、該五徳爪部を該五徳リングに載置することを要旨とする。
【０００６】
また、本発明の請求項２記載の五徳は、上記請求項１記載の五徳において、
上記リング部材の外径は上記五徳リングの外径よりも小さく、上記五徳爪部は上記五徳リングの内側に載置されることを要旨とする。
【発明の効果】
【０００７】
上記構成を有する本発明の請求項１記載の五徳は、五徳爪部を五徳リングに載置する構造としているため、掃除する際には、五徳爪部と五徳リングとを分割することによって、五徳リングから込み入った部位がなくなり掃除しやすくなる。つまり、五徳爪部を取り外すことによって、最も汚れやすい五徳リングが格段に掃除しやすくなり、五徳全体をいつまでもきれいに使うことが可能となる。
しかも、リング部材によって複数の五徳爪を連結して五徳爪部として一体的に形成しているため、五徳爪部を五徳リングから分割した際にも五徳爪はバラバラにならず取り扱いが容易である。
【０００８】
また、本発明の請求項２記載の五徳は、リング部材の外径を五徳リングの外径よりも小さく形成することによって、五徳爪部を五徳リングの内側に載置する構成としている。従って、五徳リングの内側は外側ほど加熱されないことおよび外側よりも煮汁の落下量が少ないことから、五徳爪部への煮汁のこびりつきの程度を軽くすることができ、一層掃除しやすくなる。
【発明を実施するための最良の形態】
【０００９】
五徳を掃除しやすくするという目的を、使い勝手を損なうことなく実現した。
【実施例１】
【００１０】
以上説明した本発明の構成・作用を一層明らかにするために、以下本発明の五徳の好適な実施例について説明する。
本発明の実施例１としての五徳１は、図１，図２に示すように、調理容器を載置する五徳爪部２と、五徳爪部２を載置するとともに環状のこんろバーナの炎口の周囲を囲む環状の五徳リング３とからなる。
五徳爪部２は、図３，図４に示すように、環状の爪連結リング４と、爪連結リング４に立設接合される５枚の五徳爪５とにより一体的に形成される。五徳爪５は、シャープな流線形であり、先端が外側に向かって延びる。また、五徳爪５の下先端は、二段の突起部６が形成され、爪連結リング４に形成された貫通孔１０に挿入され固定される。また、突起部６の最先端には、小突起７が形成される。
【００１１】
五徳リング３は、一枚のリング板のプレス成形により加工され、その内周側は、図５，図６に示すように、リング中心に向かって下向きに傾斜しており、内側が落とし込み段状に窪んで爪載置部９を形成している。爪載置部９の最内側には、爪載置部９に五徳爪部２を載置した際に、五徳爪５の小突起７がはまり込んで五徳爪部２の位置決めをする位置決め溝８が５箇所設けられる。
また、五徳リング３の外周側は、外側に向かってわずかに下り傾斜しており、内周面と外周面との間に五徳リング３の最も高い位置となる点が全周にわたって形成される。
【００１２】
そして、五徳爪部２を五徳リング３の爪載置部９に載置することによって五徳１が形成される。この際、五徳爪５の下先端に形成された二段の突起部６の最先端の小突起７が五徳リング３に設けられた位置決め溝８にはまり込むことによって、五徳爪部２の位置決めがなされるとともに、五徳爪部２の回転止めがなされる。また、五徳１、すなわち五徳リング３は、ガスこんろのトッププレート上にこんろバーナの周囲を囲んで載置される。
尚、図１は、五徳爪部２と五徳リング３とを分割した状態を示す斜視図であり、図２は、五徳爪部２を五徳リング３に載置した状態を示す斜視図であり、図１中では、五徳爪部２の突起部６と五徳リング３の位置決め溝８とを省略している。
【００１３】
以上説明したように、本実施例の五徳１によれば、五徳爪部２を五徳リング３に載置する構造としているため、掃除する際には、五徳爪部２と五徳リング３とを分割することによって、五徳リング３から込み入った部位がなくなり掃除しやすくなる。つまり、五徳爪部２を取り外すことによって、最も汚れやすい五徳リング３から邪魔な部材をなくすことができ格段に掃除しやすくなり、五徳１全体をいつまでもきれいに使うことが可能となる。
【００１４】
しかも、爪連結リング４によって複数の五徳爪５を連結して一部材の五徳爪部２としているため、掃除に邪魔な五徳爪５を五徳リング３から取り外した際にも五徳爪５はバラバラにならず取り扱いが容易である。
さらに、爪連結リング４の直径を五徳リング３の直径よりも小さく形成することによって、五徳爪部２を五徳リング３の内側に載置する構成として、爪連結リング４への煮汁のこびりつきの低減を図っている。つまり、五徳リング３の内側は、外側ほどこんろバーナの外炎にさらされず高温とならず、しかも煮汁の落下量も少ないため、五徳爪部２を内側に載置することによって煮汁のこびりつきの程度を軽くすることができるのである。この結果、五徳爪部２の掃除も楽になり、五徳１を一層きれいに保つことが可能となる。
【００１５】
以上本発明の実施例について説明したが、本発明はこうした実施例に何等限定されるものではなく、本発明の要旨を逸脱しない範囲において、種々なる態様で実施し得ることは勿論である。
【産業上の利用可能性】
【００１６】
調理台に載置して使われるテーブルこんろや調理台に組み込んで使われるビルトインこんろ等に適用可能である。
【図面の簡単な説明】
【００１７】
【図１】実施例１としての五徳の斜視図である。（分割状態）
【図２】実施例１としての五徳の斜視図である。（載置状態）
【図３】実施例１としての五徳爪部の平面図である。
【図４】実施例１としての五徳爪部の断面図である。
【図５】実施例１としての五徳リングの平面図である。
【図６】実施例１としての五徳リングの断面図である。
【図７】従来例としてのガスこんろの外観図である。
【図８】従来例としてのガスこんろの断面図である。
【図９】従来例としての五徳爪と五徳リングとの固定部分の断面図である。
【図１０】別の従来例としての五徳爪と五徳リングとの固定部分の断面図である。
【符号の説明】
【００１８】
１  五徳
２  五徳爪部
３  五徳リング
４  爪連結リング
５  五徳爪
【図１】
2005037082.tif 000003
【図２】
2005037082.tif 000004
【図３】
2005037082.tif 000005
【図４】
2005037082.tif 000006
【図５】
2005037082.tif 000007
【図６】
2005037082.tif 000008
【図７】
2005037082.tif 000009
【図８】
2005037082.tif 000010
【図９】
2005037082.tif 000011
【図１０】
2005037082.tif 000012